(57)【要約】      （修正有）【課題】生体組織や臓器等が吸引孔部に密着した際にも、確実に血液や洗浄液を吸引しながら鈎として使用することができる吸引鈎を提供する。【解決手段】本体管部１１と、上記本体管部１１の基端部１２に設けられた把持部１３と、上記把持部１３の基端１４に設けられ、吸引装置に接続しうる接続部１５と、上記本体管部１１の先端に設けられ、上記本体管部１１に連通する吸引孔１７を有する吸引孔部１８とを備えた吸引鉤１０であって、上記吸引孔部１８は、上記吸引孔１７が設けられた部位において上記本体管部１１外方へ延出する張り出し部１９を有する臓器係止部２０を有する。【選択図】図１
0003194580.tif 000002
【実用新案登録請求の範囲】
【請求項１】
本体管部と、上記本体管部の基端部に設けられた把持部と、上記把持部の基端に設けられ、吸引装置に接続しうる接続部と、上記本体管部の先端に設けられ、上記本体管部に連通する吸引孔を有する吸引孔部とを備えた吸引鉤であって、上記吸引孔部は、上記吸引孔が設けられた部位において上記本体管部外方へ延出する張り出し部を有する臓器係止部を有することを特徴とする吸引鉤。
【請求項２】
上記臓器係止部は、上記本体管部の軸方向に沿って形成された係止面部を有し、上記張り出し部は上記係止面部に形成されていると共に、上記吸引孔は上記本体管部の軸方向先端部及び径方向両側部に設けられていることを特徴とする請求項１記載の吸引鉤。
【請求項３】
上記本体管部及び上記吸引孔部は湾曲形成されていることを特徴とする請求項２記載の吸引鉤。
【請求項４】
上記吸引孔部は、先端部に上記吸引孔が開設された細長直方体状の吸引孔部本体と、平面略長方形状であって、上記吸引孔部本体の幅方向両端部に設けられた上記係止面部を有する臓器係止部を備え、上記張り出し部は上記吸引孔部本体の長さ方向の略全域に設けられていると共に、上記吸引孔部本体の幅方向両側面部は、上記張り出し部よりも幅方向内方に設けられていることを特徴とする請求項３記載の吸引鉤。
【請求項５】
上記把持部には、上記吸引装置への吸引圧を調節しうる調節孔部が設けられていることを特徴とする請求項１記載の吸引鈎。
【考案の詳細な説明】
【技術分野】
【０００１】
本考案は、手術用器具の鈎に係り、特に、吸引機能を有する吸引鈎に関するものである。
【背景技術】
【０００２】
一般に、外科手術は生体組織や臓器等を切開、剥離しながら進められ、目標とする部位に対する術野を確保することが重要な作業と位置づけられる。こうした術野の確保には、鈎と呼ばれる手術器具が多く用いられる。鈎は、組織や臓器等を牽引し、保持する手術器具である。
【０００３】
鈎を使用する際には、体腔内に溜まった血液や体液、生理食塩水等の洗浄液を吸引するための吸引具が同時に用いられるが、術野の確保及び作業スペース確保の観点から、同時に使用する手術器具は出来るだけ少ない方が望ましい。そこで、鈎と吸引具の両方の機能を有する手術器具、いわゆる吸引鈎が提案されている（特許文献１）。
【０００４】
特許文献１に開示された吸引鈎は、鈎及び除去子の全体を中空構造にして先端に設けられた孔から吸引できるようにした鈎である。しかし、鈎は器具の性質上、必ず組織や臓器等に密着した状態で使用するために、吸引孔に組織等が付着して吸引の効率が落ち、場合によっては吸引孔が詰まって吸引ができなくなるという不具合があった。
【０００５】
上記不具合は吸引鈎に限定されるものではなく、吸引具としての不具合でもある。例えば特許文献２には、吸引プローブの開口部先端に複数の吸引孔を有するキャップを設けることにより、吸引プローブの開口部が直接閉塞されるという事態を防止する吸引プローブが開示されている。
しかしながら、特許文献２に開示された吸引プローブにあっては、吸引孔はキャップの外周縁上に設けられているため、組織等がキャップの外周面を覆ってしまうと、結果的に吸引孔が閉塞することとなり、上記不具合を解消するには至っていない。
【０００６】
また、特許文献３には、吸引効率を改善するために先端部近傍の側面に複数の吸引孔を設けた吸引チューブが開示されている。しかしながら、吸引孔は先端部の外周縁上に設けられているため、組織等が先端部を覆ってしまった場合には、上記不具合を解消するに至っていない。
【特許文献１】実用新案登録第３０７５６７８号公報
【特許文献２】特開平５−３０５１４５号公報
【特許文献３】実開平１−８４６５０号公報
【考案の開示】
【考案が解決しようとする課題】
【０００７】
本考案は、以上のような従来からの不具合を解決するためのものであって、その課題は、生体組織や臓器等が吸引孔部に密着した際にも、確実に血液や洗浄液を吸引しながら鈎として使用することができる吸引鈎を提供することにある。
【課題を解決するための手段】
【０００８】
上記課題を解決するために、請求項１に記載の考案にあっては、本体管部と、上記本体管部の基端部に設けられた把持部と、上記把持部の基端に設けられた吸引装置に接続しうる接続部と、上記本体管部の先端に設けられ、上記本体管部に連通する吸引孔を有する吸引孔部とを備えた吸引鉤であって、上記吸引孔部は、上記吸引孔が設けられた部位において上記本体管部外方へ延出する張り出し部を有する臓器係止部を有することを特徴とする。
【０００９】
従って、張り出し部を有する臓器係止部を用いて臓器や組織等を係止させた場合には、吸引孔部に設けられた吸引孔と臓器、組織等との間には一定の空隙が確保される。
【００１０】
請求項２に記載の考案にあっては、上記臓器係止部は、上記本体管部の軸方向に沿って形成された係止面部を有し、上記張り出し部は上記係止面部に形成されていると共に、上記吸引孔は上記本体管部の軸方向先端部及び径方向両側部に設けられていることを特徴とする。
【００１１】
従って、臓器係止部に設けられた係止面部によって臓器や組織等を係止させうると共に、本体管部の軸方向及び径方向のいずれの方向においても吸引孔と臓器、組織等との間には一定の空隙が確保される。
【００１２】
請求項３に記載の考案にあっては、上記本体管部及び上記吸引孔部は湾曲形成されていることを特徴とする。
【００１３】
従って、上記本体管部の軸方向に沿って形成された係止面部を有する臓器係止部も湾曲形成される。
【００１４】
請求項４に記載の考案にあっては、上記吸引孔部は、先端部に上記吸引孔が開設された細長直方体状の吸引孔部本体と、平面略長方形状であって、上記吸引孔部本体の幅方向両端部に設けられた上記係止面部を有する臓器係止部を備え、上記張り出し部は吸引孔部本体の長さ方向の略全域に設けられていると共に、上記吸引孔部本体の幅方向両側面部は、上記張り出し部よりも幅方向内方に設けられていることを特徴とする。
【００１５】
従って、上記張り出し部と上記吸引孔部本体の幅方向側面部との間には一定の空隙が確保される。
【００１６】
請求項５に記載の考案にあっては、上記把持部には、外部吸引装置への吸引圧を調節しうる調節孔部が設けられていることを特徴とする。
【００１７】
従って、吸引鈎の使用者が上記把持部を把持しながら指先で調節孔部の開閉操作をすることができる。
【考案の効果】
【００１８】
請求項１に記載の吸引鈎にあっては、張り出し部を有する臓器係止部を用いて臓器や組織等を係止させると吸引孔部に設けられた吸引孔と臓器、組織等との間には一定の空隙が確保されるので、生体組織や臓器等が吸引孔部に密着した際にも、確実に血液や洗浄液を吸引しながら鈎として使用することができる。
【００１９】
請求項２に記載の吸引鈎にあっては、臓器係止部に設けられた係止面部によって臓器や組織等を係止させうると共に、本体管部の軸方向及び径方向のいずれの方向においても吸引孔と臓器、組織等との間には一定の空隙が確保されるので、生体組織や臓器等が吸引孔部のいずれの方向に密着した際にも、確実に血液や洗浄液を吸引しながら鈎として使用することができる。
【００２０】
請求項３に記載の吸引鈎にあっては、上記本体管部の軸方向に沿って形成された係止面部を有する臓器係止部も湾曲形成されるので、臓器間の入り組んだ場所にも挿入して臓器を係止しやすい吸引鈎を提供することができる。
【００２１】
請求項４に記載の吸引鈎にあっては、上記張り出し部と上記吸引孔部本体の幅方向側面部との間には一定の空隙が確保されるので、吸引される液体が上記空隙によって上記吸引孔部本体の先端部に開設された吸引孔へとガイドされ効率よく吸引することができる。
【００２２】
請求項５に記載の吸引鈎にあっては、吸引鈎の使用者が上記把持部を把持しながら指先で調節孔部の開閉操作をすることができるので、使用者が状況に応じた吸引圧で吸引鈎を使用することができると共に、調節孔部を開放した場合には吸引機能を用いずに吸引鈎を使用することができる。
【図面の簡単な説明】
【００２３】
【図１】本考案に係る吸引鈎の一実施の形態を示した斜視図である。
【図２】本考案に係る吸引鈎の一実施の形態において、吸引鈎部の拡大斜視図である。
【図３】本考案に係る吸引鈎の一実施の形態において、吸引鈎部の拡大側面図である。
【図４】本考案に係る吸引鈎の一実施の形態において、吸引鈎部の拡大正面図である。
【図５】本考案に係る吸引鈎の一実施の形態において、吸引鈎部の拡大底面図である。
【図６】本考案に係る吸引鈎の一実施の形態において、吸引鈎部の拡大平面図である。
【考案を実施するための最良の形態】
【００２４】
以下、添付図面に示す実施の形態に基づき、本考案を詳細に説明する。
図１に示すように、本考案の一実施の形態に係る吸引鈎１０は、本体管部１１と、上記本体管部１１の基端部１２に設けられた把持部１３と、上記把持部１３の基端１４に設けられ、吸引装置（図示せず）に接続しうる接続部１５と、上記本体管部１１の先端１６に設けられ、上記本体管部１１に連通する吸引孔１７を有する吸引孔部１８とを備える。上記吸引孔部１８は、上記吸引孔１７が設けられた部位において上記本体管部１１の外方へ延出する張り出し部１９を有する臓器係止部２０を有する。
【００２５】
また、図１及び図２に示すように、上記臓器係止部２０は、上記本体管部１１の軸方向に沿って形成された係止面部２１を有し、上記張り出し部１９は上記係止面部２１に形成されていると共に、上記吸引孔１７は上記本体管部１１の軸方向先端部２２及び径方向両側部２３に設けられている。
また、本考案の実施の形態において、上記本体管部１１及び上記吸引孔部１８は湾曲形成されている。
【００２６】
また、図２〜図４に示すように、上記吸引孔部１８は、上記軸方向先端部２２及び径方向先端部２４に上記吸引孔１７が開設された細長直方体状の吸引孔部本体２５と、平面略長方形状であって、上記吸引孔部本体２５の幅方向両端部２６に設けられた上記係止面部２１を有する臓器係止部２０を備え、上記張り出し部１９は上記吸引孔部本体２５の長さ方向の略全域に設けられていると共に、上記吸引孔部本体２５の幅方向両側面部２７は、上記張り出し部１９よりも幅方向内方に設けられている。
また、図１に示すように、上記把持部１３には、上記吸引装置（図示せず）への吸引圧を調節しうる調節孔部２８が設けられている。
【００２７】
本実施の形態に係る吸引鈎１０の構成について、添付図面を用いてより詳細に説明する。
図１に示すように、本実施の形態に係る本体管部１１は、上記基端１４から中央段部２９に至るまでは所定の外径寸法を有する直管部材３０により、上記中央段部２９から上記先端１６に至るまでは上記直管部材３０よりも小さな外径寸法を有する曲管部材３１により、夫々、構成され、上記直管部材３０及び上記曲管部材３１は金属により一体成形されている。
【００２８】
また、本実施の形態に係る把持部１３は、合成樹脂により全体略円柱状に形成されている。上記把持部１３の先端部３２には上記調節孔部２８が、上記把持部１３の基端部３３には凸部３４が設けられている。また、上記接続部１５は、上記本体管部１１の基端部１２に着脱可能に係合しうる別体の接続管部３５により構成されている。上記接続管部３５は、全体略円筒状に形成され、略円錐形状の段状突起３６が設けられている。
【００２９】
また、図２〜図６に示すように、本実施の形態に係る臓器係止部２０は、上記曲管部材３１と略同一の曲率を有する平面略長方形状に形成された一対の係止面部２１、２１から構成され、上記臓器係止部２０の下端側に位置する係止面部２１には経方向の所定幅に亘る溝３７が軸方向に沿って連続して形成されている。また、上記吸引孔部１８を構成する上記係止面部２１、２１及び上記吸引孔部本体２５は、金属により一体成形されている。
【００３０】
本実施の形態に係る吸引鈎１０の作用について、添付図面を用いて説明する。
本実施の形態に係る吸引鈎１０を使用する場合には、上記接続部１５に対して、外部の吸引装置（図示せず）と接続しうる吸引チューブ（図示せず）を挿入固定する。この際、上記突起３６が滑り止めとして作用するので、使用中に上記吸引チューブが抜けるという事態を防止することができる。
【００３１】
また、図１に示すように、本実施の形態に係る吸引鈎１０にあっては、上記把持部１３を把持して使用する。この際、上記把持部１３に設けられた凸部３４が滑り止めとして作用し、手術中の吸引鈎の誤動作や落下するといった事態を防止することができる。
また、上記吸引鈎１０にあっては、使用者が上記把持部１３を把持しながら指先で上記調節孔部２８の開閉操作をすることができるので、使用者が状況に応じた吸引圧で吸引鈎１０を使用することができると共に、上記調節孔部２８を開放した場合には吸引機能を用いずに吸引鈎１０を使用することができる。
【００３２】
本実施の形態に係る吸引鈎１０にあっては、上記本体管部１１の先端１６に設けられた吸引孔部１８を開腹された患者の体腔内に挿入して使用する。この際、上記本体管部１１が上記先端１６から中央段部２９に至るまで曲管部材３１によって湾曲形成されているので、臓器間の入り組んだ場所にも挿入することができる。特に、上記曲管部材３１にあっては、外径寸法が小さく軸方向に沿って曲げることができるので、手術の状況に応じて上記曲管部材３１の角度を調節しながら使用することができる。
一方で、上記本体管部１１の上記中央段部２９から基端部１２に至る部分を構成する直管部材３０にあっては、軸方向に沿って容易に曲げることができない外径寸法を有している。従って、上記吸引鈎１０の全体形状を維持することができると共に、鈎として使用する際には使用者の手の動作を臓器係止部２０まで確実に伝えることができる。
【００３３】
また、図２〜図６に示すように、本実施の形態に係る吸引鈎１０にあっては、鈎としての使用に際し、臓器係止部２０に設けられた係止面部２１によって患者の臓器等を係止し、保持することができる。特に、上記係止面部２１に設けられた溝３７が滑り止めとして作用するため、臓器等を確実に保持することができる。
また、図２〜図４に示すように、上記吸引鈎１０にあっては、吸引具としての使用に際し、吸引孔１７が吸引孔部本体２５の軸方向先端部２２及び径方向先端部２４に設けられているので、体腔内の液体が少ない場合であっても、空気を吸引してしまうといった事態を防止することができる。
【００３４】
また、本実施の形態に係る吸引鈎１０にあっては、臓器係止部２０を用いて臓器や組織等を係止させると、上記臓器係止部２０に設けられた張り出し部１９によって吸引孔１７と臓器、組織等との間には一定の空隙が確保される。従って、生体組織や臓器等が上記吸引孔部１８のいずれの方向に密着した場合であっても、血液や洗浄液を確実に吸引することができる。
特に、上記吸引鈎１０にあっては、上記張り出し部１９と上記吸引孔部本体２５の幅方向両側面部２７との間には一定の空隙が確保される。従って、吸引孔１７が設けられている吸引孔部本体２５の軸方向先端部２２及び径方向先端部２４が臓器や組織等に覆われた場合であっても、上記幅方向両側面部２７から液体を吸引することができると共に、吸引される液体が上記空隙によって上記吸引孔部本体２５の径方向先端部２４に開設された吸引孔１７へとガイドされ効率よく吸引することができる。
【００３５】
本実施の形態に係る吸引鈎１０は、上記本体管部１１及び上記吸引孔部１８が湾曲形成されている場合を例に説明したが、上記構成に限定されない。
また、本実施の形態に係る吸引孔部１８は、上記軸方向先端部２２及び径方向先端部２４に上記吸引孔１７が開設された細長直方体状の吸引孔部本体２５と、平面略長方形状であって、上記吸引孔部本体２５の幅方向両端部２６に設けられた上記係止面部２１を有する臓器係止部２０を備え、上記張り出し部１９は上記吸引孔部本体２５の長さ方向の略全域に設けられていると共に、上記吸引孔部本体２５の幅方向両側面部２７は、上記張り出し部１９よりも幅方向内方に設けられている場合を例に説明したが、上記構成に限定されず、上記吸引孔１７が設けられた部位において上記本体管部１１の外方へ延出する張り出し部１９を有する臓器係止部２０を有するように構成されていればよい。
【産業上の利用可能性】
【００３６】
本考案は、手術用器具の鈎及び吸引具に広く適用可能であり、産業上利用可能性を有している。
【符号の説明】
【００３７】
１０：吸引鈎
１１：本体管部
１２：基端部
１３：把持部
１４：基端
１５：接続部
１６：先端
１７：吸引孔
１８：吸引孔部
１９：張り出し部
２０：臓器係止部
２１：係止面部
２２：軸方向先端部
２３：径方向両側部
２４：径方向先端部
２５：吸引孔部本体
２６：幅方向両端部
２７：幅方向両側面部
２８：調節孔部
２９：中央段部
３０：直管部材
３１：曲管部材
３２：先端部
３３：基端部
３４：凸部
３５：接続管部
３６：段状突起
３７：溝
【図１】
0003194580.tif 000003
【図２】
0003194580.tif 000004
【図３】
0003194580.tif 000005
【図４】
0003194580.tif 000006
【図５】
0003194580.tif 000007
【図６】
0003194580.tif 000008